(57)【要約】【課題】複数の部分系統を連結して電力系統解析を行う際に、複数の管轄部門の詳細な設備データを反映した正確な電力系統解析が行えるようにする。【解決手段】部分系統を管轄する管轄部門ごとに、当該管轄部門の系統データ及び連結設備データを関連付けて記憶する部分系統記憶部４３０と、自管轄部門の連結設備データと当該自管轄部門を含む指定された範囲にある他管轄部門との系統データ及び連結設備データを統合する系統データ統合部４２０と、系統データ統合部４２０で統合された系統データ及び連結設備データを用いて解析演算を行う解析演算部４４０とを備えたものである。【選択図】図４
2011166895.tif 000002
【特許請求の範囲】
【請求項１】
部分系統を管轄する管轄部門ごとに、当該管轄部門の系統データ及び連結設備データを関連付けて記憶する部分系統記憶部と、
自管轄部門の前記連結設備データと当該自管轄部門を含む指定された範囲にある他管轄部門との前記系統データ及び前記連結設備データを統合する系統データ統合部と、
前記系統データ統合部で統合された前記系統データ及び前記連結設備データを用いて、解析演算を行う解析演算部と、
を備えた電力系統データ解析装置。
【請求項２】
前記連結設備データは、自管轄部門と接続している他管轄部門の設備との連結状況を示す情報と、前記自管轄部門に接続している前記他管轄部門の設備に関する電気的特性を示す情報とを含む、
請求項１記載の電力系統データ解析装置。
【請求項３】
前記系統データ統合部は、当該自管轄部部門の連結設備データに基づいて、当該自管轄部部門の系統データと、連結設備データ内に含まれている他管轄部門の系統データとの間に、電気的に矛盾した連結はないか、設備間の電圧階級の許容範囲が同等であるかどうかを判断し、
矛盾した連結がなく、電圧階級が許容範囲である場合、他管轄部門の系統データ及び連結設備データを読み出して、当該自管轄部門の系統データ及び連結設備データと統合する、
請求項２記載の電力系統データ解析装置。
【請求項４】
前記解析演算部の計算結果を記憶する解析演算結果データベースと、
前記解析演算部の計算結果もしくは前記解析演算結果データベースに記憶された計算結果を表示する演算結果表示処理部と、
を備えた請求項３記載の電力系統データ解析装置。
【請求項５】
部分系統を管轄する管轄部門ごとに、当該管轄部門の系統データ及び連結設備データを関連付けて記憶する部分系統記憶ステップと、
自管轄部門の前記連結設備データと当該自管轄部門を含む指定された範囲にある他管轄部門との前記系統データ及び前記連結設備データを統合する系統データ統合ステップと、
前記系統データ統合ステップで統合された前記系統データ及び前記連結設備データを用いて、解析演算を行う解析演算ステップと、
を備えた電力系統データ解析方法。
【発明の詳細な説明】
【技術分野】
【０００１】
本発明は、複数の部分系統を連結して電力系統解析を行う際に適用して好適な電力系統データ解析装置及び電力系統データ解析方法に係る。特に、電力系統の設備の作業計画などの際に行われる模擬実験での電力系統解析における技術に関する。
【背景技術】
【０００２】
一般に、時々刻々と変化する需要に対して安定かつ経済的に電力を供給するためには、それに関わる電力流通設備が各々に与えられた役割を迅速かつ的確に果たす必要がある。このために、電力系統を電圧階級等に従って部分系統に分割し、部分系統ごとに所定の管轄部門にて管理している。なお、電力系統とは、発電所での電力発生から需要家に至るまでの、変電所、送電線など電力流通設備が一体的に結合されたシステムのことを示している。
【０００３】
そして、各部分系統の設備データのメンテナンス（整備・保守）は所定の管轄部門にて管理しているため、電力系統解析を行うための各種の解析装置は、各管轄部門単位で実施し、評価を行う。しかし、厳密な電力系統解析の評価は、一つの部分系統で行うことだけではなく、複数の部分系統を連結した状態にて解析を実施する必要がある。
【０００４】
そこで、従来の解析装置では、電力系統解析を行う複数の管轄部門を指定し、その指定した複数の管轄部門にある全ての部分系統を簡易連結した設備データを作成し、その設備データを用いて電力系統解析を実施している。なお、設備データは、系統データ及び連結データから構成されている。また、系統データは、電力系統及び部分系統発において、送変電設備の名称、特性、設備の重要度、設備間の接続情報、開閉器の入り切り情報、その他負荷などのデータから構成されており、連結データは自管轄部門と他管轄部門との間と連結状況の情報で構成されている。
【０００５】
特許文献１では、管轄部門ごとに、自己の部分系統の系統データ及び他の部分系統の簡易モデルを備え、管理者からの指令及び連結データに基づき、簡易モデル又は他の部分系統の系統データを自己の部分系統の系統データに連結することについての記載がある。
【先行技術文献】
【特許文献】
【０００６】
【特許文献１】特開２００８−２８９２４７号公報
【発明の概要】
【発明が解決しようとする課題】
【０００７】
ところで、従来の解析装置における連結データは他管轄部門との間の連結状況を示す情報で構成されており、他管轄部門の電力系統の特有な情報、すなわち電気的特性（例えば、発電電力量、負荷の消費電力量、送電線の抵抗値やリアクタンス等）の詳細な情報を含んでいない。そのため、エンジニアは、電圧階級に準じて設備の接続の可否等の電力系統特有の設備ルールを考慮しながら、他の管轄部門と適切に接続できるように連結定義をする必要がある。しかし、特許文献１に記載の技術を含め従来は、各部分系統の系統データの管理は管轄部門ごとで行われており、各管轄部門が保有している連結データには他管轄部門の電力系統の特有の情報を含まれていなかったので、他管轄部門の設備ルールに違反した連結定義をする恐れがあった。
【０００８】
本発明はかかる点に鑑みてなされたものであり、複数の部分系統を連結して電力系統解析を行う際に、複数の管轄部門の詳細な設備データを反映した正確な電力系統解析が行えるようにすることを目的とする。
【課題を解決するための手段】
【０００９】
上記課題を解決するための本発明は、複数の管轄部門ごとに、当該管轄部門の系統データ及び連結設備データを関連付けて記憶する部分系統記憶部と、指定された範囲にある自管轄部門の連結設備データに基づいて、指定された範囲にある他管轄部門の構成状況を判断し、自管轄部門と他管轄部門との系統データ及び連結設備データを統合する系統データ統合部と、系統データ統合部で統合された系統データ及び連結設備データを用いて解析演算を行う解析演算部とを備えたものである。
【発明の効果】
【００１０】
本発明によれば、複数の管轄部門の詳細な設備データを統合したデータを用いて、各種の解析演算を正確に行うことができる。これにより、複数の管轄部門の何？を連結した状態での電力系統の評価を容易に行うことを可能とし、エンジニア又はコンピュータの負担を軽減させることができる。
【図面の簡単な説明】
【００１１】
【図１】本発明の一実施形態に係る複数の管轄部門からなる電力系統構成例を示した図である。
【図２】第１管轄部門による電力系統構成例を示した図である。
【図３】本発明の一実施形態に係る第１、第２管轄部門による連結電力系統構成例を示した図である。
【図４】本発明の一実施形態に係る電力系統データ解析装置の構成を示したブロック図である。
【図５】本発明の一実施形態に係る第１部分系統データベースの一例を示す図である。
【図６】本発明の一実施形態に係る電力系統データ解析装置の処理例を示すフローチャートである。
【発明を実施するための形態】
【００１２】
以下、本発明の一実施形態について、図１〜図６を参照して以下の順序で説明する。
１．複数の管轄部門による電力系統構成
２．解析演算時の電力系統構成
３．電力系統データ解析装置の構成
４．電力系統データ解析装置の動作
【００１３】
［１．複数の管轄部門による電力系統構成］
図１は、複数の管轄部門による電力系統の構成例を示したものである。
一般に電力系統の構成図は、ノード、ブランチ、インジェクションの接続関係で表される。ノードはネットワークを構成する要素を示し、ブランチはノード間を接続している設備を示し、インジェクションはノードに接続している設備を示している。例えば、ノードの例として母線設備があり、ブランチ一例として電線、配電線、変圧器および開閉器（遮断機）等がある。インジェクションの例としては発電機モデル及び負荷モデルがある。
【００１４】
通常、図１に示す電力系統での管理において、複数の電気所とそれら電気所を接続する複数のブランチモデルを纏めた範囲ごとに、管轄部門が管理している。管轄部門が管理している範囲の設定は様々であるが、一般的に、管轄部門の範囲は、ノードモデルの電気的特性である電圧階級や、ブランチモデル及びノードモデルの接続や、開閉器で遮断されている箇所を区切りとして用いて範囲設定を行うことが多い。例えば、図１においては、第１管轄部門１００は、電気所１１〜１４とそれら電気所１１〜１４を接続しているブランチモデル１０１〜１０６とを備えて構成されている。また第２管轄部門２００は、電気所２１〜２３と、それら電気所２１〜２３を接続しているブランチモデル２０１〜２０３と、開閉器２４１及び２４２とを備えて構成されている。また第３管轄部門３００は、電気所３１〜３３と、それら電気所３１〜３３を接続しているブランチモデル３０１〜３０４と、開閉器３４１とを備えて構成されている。なお、電気所とは、電力設備の運転、保守分掌する事業場又は部署をいう。
【００１５】
ここで、図１における各設備の接続状態について、説明する。
まず、図１に示した第１管轄部門１００における接続状態について、以下に説明する。ノードモデル１１１は、発電機モデル１２１と負荷モデル１３１と接続している（これらを纏めたものを電気所１１と称す）。ノードモデル１１２は、発電機モデル１２２と負荷モデル１３２と接続している（これらを纏めたものを電気所１２と称す）。ノードモデル１１３は、発電機モデル１２３と負荷モデル１３３と接続している（これらを纏めたものを電気所１３と称す）。ノードモデル１１４は、発電機モデル１２４と負荷モデル１３４と接続している（これらを纏めたものを電気所１４と称す）。
そして、ノードモデル１１１とノードモデル１１２の間は、ブランチモデル１０１で接続されている。ノードモデル１１１とノードモデル１１３の間は、ブランチモデル１０２で接続されている。ノードモデル１１２とノードモデル１１４の間は、ブランチモデル１０３で接続されている。ノードモデル１１３とノードモデル１１４の間は、ブランチモデル１０４で接続されている。ノードモデル１１２とノードモデル２１１の間は、ブランチモデル１０５で接続されている。ノードモデル１１３とノードモデル３１１の間は、ブランチモデル１０６で接続されている。
【００１６】
次に、図１に示した第２管轄部門２００における接続状態について、以下に説明する。
ノードモデル２１１は、負荷モデル２３１と接続している（これらを纏めたものを電気所２１と称す）。ノードモデル２１２は、発電機モデル２２１と接続している（これらを纏めたものを電気所２２と称す）。ノードモデル２１３は、負荷モデル２３２と接続している（これらを纏めたものを電気所２３と称す）。
そして、ノードモデル２１１とノードモデル２１２の間は、ブランチモデル２０１で接続されている。ノードモデル２１１とノードモデル２１３の間は、ブランチモデル２０２で接続されている。ノードモデル２１２とノードモデル２１３の間は、開閉器２４１を設置してあるブランチモデル２０３で接続されている。ノードモデル２１３とノードモデル３１３の間は、開閉器２４２を設置してあるブランチモデル３０３で接続されている。
【００１７】
さらに、図１に示した第３管轄部門３００における接続状態について、以下に説明する。
ノードモデル３１１は、負荷モデル３３１と接続している（これらを纏めたものを電気所３１と称す）。ノードモデル３１２は、発電機モデル３２１と接続している（これらを纏めたものを電気所３２と称す）。ノードモデル３１３は、負荷モデル３３２と接続している（これらを纏めたものを電気所３３と称す）。
そして、ノードモデル３１１とノードモデル３１２の間は、ブランチモデル３０１で接続されている。ノードモデル３１１とノードモデル３１３の間は、ブランチモデル３０２で接続されている。ノードモデル３１２とノードモデル３１３の間は、開閉器３４１を設置してあるブランチモデル３０３で接続されている。ノードモデル２１３とノードモデル３１３の間は、開閉器２４２を設置してあるブランチモデル３０３で接続されている。
【００１８】
ところで、電力系統の送電形態は、ループ系統と放射状系統の二つに分類される。
ループ系統とは、発変電所間や変電所相互間が異なったルートの送電線で環状に接続、運用されている系統である。ここでは、図１に示す第１管轄部門の電気所１１〜１４及びブランチモデル１０１〜１０６の構成が、ループ系統となる。
【００１９】
一方、放射状系統とは、発変電所間や変電所相互間が１ルートの送電線で放射状に接続、運用されている系統である。なお、図１に示す第２管轄部門の電気所２１〜２３と、ブランチモデル２０１〜２０３と、開閉器２４１及び２４２との構成と、図１に示す第３管轄部門の電気所３１〜３３と、ブランチモデル３０１〜３０４と、開閉器３４１との構成とが、放射状系統となる。ただし、開閉器２４１、２４２、３４１は、遮断されている状態とする。
【００２０】
そして、それぞれの特徴は、ループ系統では電気を迂回して送れるため、放射状に比べて供給信頼度が高いということ、放射状系統では系統事故時には事故点に向かって大量の電気が流れ込むことなく、事故電流を遮断できるということである。これにより、国内の基幹系統は、ループ状と放射状を併用する例が多い。しかし、一般的に、管轄部門同士の境界箇所の送電形態は、放射状系統となることが多い。つまり、図１においては、第１管轄部門１００にて発電された電力は、第２管轄部門２００及び第３管轄部門３００へと放射状に送受電されている状態となる。
【００２１】
［２．解析演算時の電力系統構成］
従来、図１に示す第１管轄部門１００のみの系統解析演算を実施する場合は、第２管轄部門２００及び第３管轄部門３００のそれぞれの系統データを簡略模擬化して行う。図２は、第１管轄部門１００にて系統解析演算を実施する場合において、簡略化電力系統構成の一例を示している。
【００２２】
まず、第２管轄部門２００の系統データを第２簡略負荷モデル２００Ａとして簡略模擬化をする。次に、第３管轄部門３００の系統データを第３簡略負荷モデル３００Ａとして簡略模擬化をする。これにより、図２に示すように、ブランチモデル１０５は第２簡略負荷モデル２００Ａと接続しており、ブランチモデル１０６は第３簡略負荷モデル３００Ａと接続している状態となる。
そして、第１管轄部門１００の系統データと、第２簡略負荷モデル２００Ａと、第３簡略負荷モデル３００Ａとの情報を統合し、その統合した情報を用いて系統解析演算を行う。
【００２３】
つまり、従来は、他の管轄部門の変動するデータを用いずに、第１管轄部門１００のみの電力系統の演算で電力系統の信頼度評価を実施している。
しかし、電力系統の設備の保守点検等に伴い、一部設備の停止の必要があり、系統構成の変更される場合がある。そのような場合に、複数の管轄部門を詳細に模擬し、系統解析演算を実施する必要がある。図３は、第１管轄部門１００と第２管轄部門２００を詳細に模擬した電力系統構成の一例を示している。
【００２４】
まず、第１管轄部門と第３管轄部門の境界線では、第３管轄部門の範囲に管理している電気所３１〜３３とそれに接続するブランチモデル３０１〜３０４とを、第３簡略負荷モデル３００Ａとして簡略模擬化する。次に、第２管轄部門と第３管轄部門の境界線では、第３管轄部門の範囲に管理している電気所３１〜３３とそれに接続するブランチモデル３０１〜３０４とを、第４簡略負荷モデル３００Ｂとして、簡略模擬化する。
【００２５】
第３管轄部門の設備が第３簡略負荷モデル３００Ａ及び第４簡略負荷モデル３００Ｂで二重に模擬されているため、本来の電力系統と同等の系統を模擬することは出来ない。しかし、第２及び第３管轄部門間の接続は、通常は、開閉器２４２にて接続が遮断されているため、系統解析演算の結果は、従来の電力系統の解析演算結果と同等の結果が得られる。
しかし、開閉器２４２を開放され、第２管轄部門２００及び第３管轄部門３００の管理エリアを結ぶブランチモデル３０４の潮流を変化させる電力系統操作を行われている場合には、第３管轄部門３００を精密に模擬する必要がある。つまり、第１管轄部門１００と、第２管轄部門２００と、第３管轄部門３００の全ての範囲での系統解析演算を実施する必要がでてくる。
【００２６】
そこで、必要に応じて、複数の管轄部門の系統データや連結データを統合させて、その統合した情報を用いて各種の電力系統解析を行えるようにした電力系統データ解析装置について、図４−６を用いて説明する。
【００２７】
［３．電力系統データ解析装置の構成］
以下、本発明の一実施形態の例での電力系統データ解析装置について、図４、５を用いて説明する。
【００２８】
図４は、本発明の一実施形熊の例に係る電力系統データ解析装置４００の構成を示すブロック図である。
電力系統データ解析装置４００は、入力部４１０と、系統データ統合部４２０と、データベース４３０と、解析演算部４４０と、演算結果表示処理部４５０と、画面表示部４６０とで構成されている。
【００２９】
入力部４１０は、表示画面を操作するタッチパネル、キーボード、マウス等の入力機器から構成される。この入力部４１０にて、運転員又はエンジニアが、連結部分系統情報及び解析演算種別の入力を行う。なお、連結部分系統情報は、複数の管轄部門がある場合、その中から連結したい管轄部門を選出した情報である。例えば、図１に示す管轄部門の範囲より、第１管轄部門及び第２管轄部門を合わせた範囲での解析計算を行いたい場合、連結部分系統情報は第１管轄部門及び第２管轄部門を連結する旨の情報になる。次に、解析演算種別は、解析演算部４４０で行う電力系統解析の演算の種類を決定した情報である。その演算の種類は、例えば、信頼度評価、系統安定度、ロードフロー解析（潮流計算及びループ潮流計算）、短絡電流解析、電動機起動の解析、過度安定度の解析等がある。
【００３０】
データベース４３０は、第１部分系統データベース４３１と、第２部分系統データベース４３２と、第３部分系統データベース４３３と、解析演算結果データベース４３４とで構成されている。これらのデータベースは、不揮発性の記憶装置に格納される。また、各データベースは、１つの記憶装置に構築してもよい。
なお、このデータベースは、部分系統記憶部の一例である。
また、データベース４３０は、図１の構成より管轄部門の数が３つであるので、３つの部分系統データベースを持つようにしています。しかし、データベースは、管轄部門の数にあわせて、部分系統データベースを持つようにしてもよい。
【００３１】
第１部分系統データベース４３１には、第１管轄部門１００を構成する設備からのデータを記憶する。なお、第１管轄部門１００を構成する設備とは、電気所１１〜１４及びブランチモデル１０１〜１０６を指している。
【００３２】
そして、内部構成は、第１管轄部門１００の電気所のデータを格納する電気所データベース４３１ａと、第１管轄部門１００のブランチモデルのデータを格納するブランチデータベース４３１ｂとなる。電気所データベース４３１ａは、電圧階級データ５１２と、接続設備データ５１３と、設備表示位置座標５１４と、電気的特性データ５１５（抵抗５１５ａと、リアクタンス５１５ｂと、静電容量５１５ｃと、有効電力５１５ｄと、無効電力５１５ｅ等）と、連結設備データ５１６とで構成されている。
【００３３】
ブランチデータベース４３１ｂは、設備各種データ５１１（接続設備データ５２２、設備表示位置座標５２３、電気的特性データ５２４（抵抗５２４ａ、リアクタンス５２４ｂ、静電容量５２４ｃ等））及び連結設備データ５２５とで構成されている。
【００３４】
なお、電圧階級データは、当該設備の電圧階級のデータを示す。接続設備データは、当該設備が接続している設備の詳細なデータを示す。設備表示位置座標は、当該設備を電力系統図として表示する際に表示する位置座標を示す。電気的特性データは、当該設備の電気的特性データ（抵抗、リアクタンス、静電容量、有効電力、無効電力等）を示す。
【００３５】
そして、連結設備データは、自管轄部門の設備と接続している他管轄部門の設備との連結状況を示す情報と、自管轄部門に接続している他管轄部門の設備の系統データとで構成されている。例えば、図３に示すように、自管轄部門を第１管轄部門１００とし、他管轄部門を第２管轄部門２００とした場合について説明する。この場合における第１部分系統データベース４３１の連結設備データ５１６には、ブランチモデル１０５がノードモデル２１１と接続している情報と、ノードモデル２１１の系統データとを含んでいる。そして、第１部分系統データベース４３１での連結設備データ５２５には、情報が何も含まれていない。
一方、第２部分系統データベース４３２での連結設備データ５２５には、ノードモデル２１１がブランチモデル１０５と接続している情報と、ブランチモデル１０５の系統データとを含んでいる。そして、第２部分系統データベース４３２での連結設備データ５１６には、情報が何も含んでいない。
【００３６】
また、第１部分系統データベース４３１が記憶しているデータは電圧階級データと、接続設備データと、設備表示位置座標と、電気的特性データとしているが、これのみとは限らず、そのほかのデータを含めてもよい。
【００３７】
第２部分系統データベース４３２には、第２管轄部門２００を構成する設備からのデータを記憶する。内部構成は、第１部分系統データベース４３１と同等なので、省略する。なお、第２管轄部門２００を構成する設備とは、電気所２１〜２３と、ブランチモデル２０１〜２０３と、開閉器２４１及び２４２を指している。
【００３８】
第３部分系統データベース４３３には、第３管轄部門３００を構成する設備からのデータを記憶する。内部構成は、第１部分系統データベース４３１と同等なので、省略する。なお、第３管轄部門３００を構成する設備とは、電気所３１〜３３と、ブランチモデル３０１〜３０４と、開閉器３４１を指している。
【００３９】
解析演算結果データベース４３４には、解析演算部４４０で行った解析演算処理の結果の全てのデータを格納する。なお、解析演算部４４０については、後述する。
【００４０】
次に、系統データ統合部４２０では、自管轄部部門の連結設備データに基づいて、連結する他管轄部門があるかを判断する。例えば、連結する他管轄部門があるかの判断は、電気的に矛盾した連結はないか、設備間の電圧階級の許容範囲が同等であるかどうか等である。なお、電気的に矛盾した連結とは、変圧器モデルを挟むことなく、電圧階級が異なる２つのノードモデル同士を連結することを示す。
そして、連結する他管轄部門がある場合は、連結する他管轄部門の系統データ及び設備連結データを、データベースの該当部分系統データベースから読み出す。そして、自管轄部門と他管轄部門のそれぞれの系統データ及び設備連結データを統合したデータ（以後、設備各種統合データ及び連結設備統合データと称す）として生成する。
【００４１】
解析演算部４４０は、系統データ統合部４２０で生成した設備各種統合データ及び連結設備統合データを用いて、各種の解析演算処理を行う。このときに行う解析演算処理は、入力部４１０で設定した解析演算種別の内容に従って行われる。なお、各種の解析演算は、信頼度評価、系統安定度、ロードフロー解析、短絡電流解析、電動機起動の解析、過度安定度の解析等としているが、これに限らず、他の解析演算処理が行えるようにしてもよい。
【００４２】
演算結果表示処理部４５０は、解析演算部４４０での計算結果又は解析演算結果データベース４３４に格納されている計算結果データと、設備電圧階級や設備表示位置のデータベース（図示しない）に基づいて、連結した管轄部門の電力系統設備の表示位置を算出して、電力系統図の表示情報の生成を行う。
また、ここで生成される情報は、電力系統図の表示情報でなくてもよい。例えば、電力系統の評価結果の情報等である。また、設備電圧階級や設備表示位置のデータベースには、系統データ統合部４２０で読み出したデータの中に電圧階級データ及び設備表示位置座標があるので、この電圧階級データ５１２及び設備表示位置座標５１４、５２３を格納されているとしてもよい。
【００４３】
そして、画面表示部４６０では、演算結果表示処理部４５０で生成された表示情報を表示している。例えば、画面表示部４６０には、ＣＲＴディスプレイ、フラットディスプレイ、投射型表示デバイス（液晶パネル等）等を適用できる。
【００４４】
［４．電力系統データ解析装置の動作］
電力系統データ解析装置４００の動作について、図６を参照して説明する。
図６は、電力系統データ解析装置４００において、各管轄部門の設備データを統合した情報を用いることで解析演算処理を行うまでの流れを示すフローチャートである。
【００４５】
まず、入力部４１０で、運転員又はエンジニアが、連結部分系統情報及び解析演算種別の入力を行う（ステップＳ１）。例えば、連結部分系統情報は第１管轄部門（自管轄部門）及び第２管轄部門（他管轄部門）を連結する旨の情報を入力され、解析演算種別は潮流計算指定の情報を入力される。例えば、図１に示す管轄部門の範囲において、第１管轄部門及び第２管轄部門を合わせた範囲での解析計算を行う場合、連結部分系統情報は第１管轄部門及び第２管轄部門を連結する旨の情報になる。
【００４６】
系統データ統合部４２０で、連結部分系統情報に基づいて、自管轄部門の部分系統データベースの設備各種データと連結設備データを読み込む（ステップＳ２）。例えば、図４の例では、系統データ統合部４２０が第１管轄部門１００の設備各種データ５１１、５２１及び連結設備データ５１６、５２５の読み出しを行う（他の箇所も同様に変更方）。同時に、第１管轄部門１００は第３管轄部門３００と隣接しているが連結すべき管轄部門でないため、第３簡略負荷モデル３００Ａを読み出す。なお、連結設備データ５１６にはノードモデル２１１の系統データ及びノードモデル３１１の系統データを含んでおり、連結設備データ５２５には何も含まれていない。
【００４７】
次に、何が？自管轄部門の連結設備データと連結部分系統情報に基づいて、連結すべき他管轄部門があるかを判断する（ステップＳ３）。例えば、図３を参照して、連結部分系統情報が第１管轄部門及び第２管轄部門を連結する旨の情報である場合について説明する。
まず、連結部分系統情報と連結設備データ５１６、５２５により、連結設備データ５１６にはノードモデル２１１の系統データを含んでいることがわかる。そして、連結設備データ５１６に含まれるノードモデル２１１の系統データと、第１管轄部門１００の設備各種データ５１１、５２１に基づいて、電気的に矛盾した連結はないか、設備間の電圧階級の許容範囲が同等であるかどうかを判断する。
【００４８】
そして、連結すべき他管轄部門がある場合、系統データ統合部４２０は他管轄部門の部分系統データベースから設備各種データと連結設備データを読み込む（ステップＳ４）。
例えば、図４の例では、電気的に矛盾した連結がなく、設備間の電圧階級の許容範囲にある場合、系統データ統合部４２０は、連結設備データ５１６に含まれているノードモデル２１１の系統データに基づいて第２部分系統データベース４３２を参照して、第２管轄部門２００の設備各種データ及び連結設備データを読み出す。同時に、第２管轄部門２００は、第４簡略負荷モデル３００Ｂを読み出す。なお、第４簡略負荷モデル３００Ｂが使用されるのは、連結部分系統情報により、第３管轄部門が連結すべき管轄部門として指定されていないためである。
また、連結する他管轄部門がない場合は、自管轄部門の設備各種データのみとなり、ステップＳ６に進める。
【００４９】
次に、自管轄部門の設備各種データ及び連結設備データと、他管轄部門の設備各種データ及び連結設備データとを用いて、両方の管轄部門の設備各種データと連結設備データを統合した設備各種統合データ及び連結設備統合データの生成を行う（ステップＳ５）。
【００５０】
例えば、図４の例では、第１管轄部門１００の設備各種データ５１１、５２１及び連結設備データ５１６、５２５と、第２管轄部門２００の設備各種データ及び連結設備データと、第３簡略負荷モデル３００Ａと、第４簡略負荷モデル３００Ｂを統合して、設備各種統合データ及び連結設備統合データを生成する。
【００５１】
なお、ここで示した簡略負荷モデルは、各管轄部門が管理する部分系統データベースに格納されている。例えば、第３簡略負荷モデル３００Ａは第１部分系統データベース４３１に格納されており、第４簡略負荷モデル３００Ｂは第２部分系統データベース４３２に格納されている。また、系統データ統合部４２０で生成した設備各種統合データ及び連結設備統合データの内容は、図５に示す第１部分系統データベース４３１と同等の構成としたデータベースとしてもよい。
【００５２】
次に、系統データ統合部４２０で生成された設備各種統合データ及び連結設備統合データを用いて、解析演算部４４０は各種の演算解析を行う（ステップＳ６）。ここで行う各種の演算解析の計算は、入力部４１０で入力した解析演算種別に従って行われる。
【００５３】
解析演算結果データベース４３４に、解析演算部４４０で行った解析演算処理の結果データを記憶する（ステップＳ７）。
【００５４】
そして、演算結果表示処理部４５０で、解析演算部４４０での計算結果又は解析演算結果データベース４３４に格納されている計算結果データと、設備電圧階級や設備表示位置のデータベース（図示しない）とに基づいて、連結した管轄部門の電力系統設備の表示位置を算出して、電力系統図の表示情報の生成を行う。そして、画面表示部４６０が、その電力系統図の表示情報を表示する（ステップＳ８）。この表示情報により、評価が容易に行うことができる。
【００５５】
以上説明したように、本発明の一実施形態では、設備ルールが異なる複数の管轄部門の設備データを統合したデータを用いて、各種の解析演算を行うことができる。これにより、複数の管轄部門を連結した状態での電力系統の評価を容易に行うことを可能とし、エンジニア又はコンピュータの負担を軽減させることができる。さらに、連結データが電気系統の特有の情報、つまり電気的特性を含むことにより、複数の部分系統を連結する際に、電気的に矛盾した連結を防止することができる。
【００５６】
ところで、本発明である電力系統データ解析装置は、管轄部門ごとに設置をしているが、上位部所に設置してもよい。なお、この上位部所とは、例えば、第１管轄部門と、第２管轄部門と、第３管轄部門との全ての電力系統を統括する管理所等や指令所を示す。
【００５７】
以上、本発明の一実施形熊の例について説明したが、本発明は上記実施形態例に限定されるものではなく、特許請求の範囲に記載した本発明の要旨を逸脱しない限りにおいて、他の変形例、応用例を含む。
【符号の説明】
【００５８】
１００…第１管轄部門、２００…第２管轄部門、２４１，２４２，３４１…開閉器、２００Ａ…第２簡略負荷モデル、３００…第３管轄部門、３００Ａ…第３簡略負荷モデル、３００Ｂ…第４簡略負荷モデル、４００…電力系統データ解析装置、４１０…入力部、４２０…系統データ統合部、４３０…データベース、４３１…第１部分系統データベース、４３１ａ…電気所データベース、４３１ｂ…ブランチデータベース、４３２…第２部分系統データベース、４３３…第３部分系統データベース、４３４…解析演算結果データベース、４４０…解析演算部、４５０…演算結果表示処理部、４６０…画面表示部、５１１，５２１…設備各種データ、５１２…電圧階級データ、５１３，５２２…接続設備データ、５１４，５２３…設備表示位置座標、５１５，５２４…電気的特性データ、５１６，５２５…連結設備データ
【図１】
2011166895.tif 000003
【図２】
2011166895.tif 000004
【図３】
2011166895.tif 000005
【図４】
2011166895.tif 000006
【図５】
2011166895.tif 000007
【図６】
2011166895.tif 000008